(57)【要約】【課題】目標印刷物の網点面積率を基準に網点面積率を微調整した印刷物を簡易に得る。【解決手段】網点面積率のデータ値に対応した目標印刷物の網点面積率を入力する第一の入力手段（６，７）と、網点面積率の補正無しで印刷した実際印刷物の網点面積率を網点面積率のデータ値に対応して入力する第二の入力手段（９，１０）と、目標印刷物の網点面積率を補正するための補正量を入力する補正量入力手段（１１）と、補正量入力手段（１１）から入力した補正量に基づいて目標印刷物の網点面積率を補正し、補正後の目標印刷物の網点面積率に対して実際印刷物の網点面積率を参照して補正データ値を算出する算出手段と、算出手段からの補正データ値に基づいてフィルム又は印刷版に網画像を出力する網画像出力手段（１５）とを具備した製版装置とする。【選択図】　　　図６
2004034556.tif 000002
【特許請求の範囲】
【請求項１】
網点面積率のデータ値に対応した目標印刷物の網点面積率を求め、網点面積率の補正無しで印刷した実際印刷物の網点面積率を網点面積率のデータ値に対応して求め、目標印刷物の網点面積率を補正するための補正量を求め、補正量に基づいて目標印刷物の網点面積率を補正し、補正後の目標印刷物の網点面積率に対して実際印刷物の網点面積率を参照して補正データ値を算出し、算出した補正データ値に基づいてフィルム又は印刷版に網画像を得ることを特徴とする製版方法。
【請求項２】
請求項１に記載の製版方法において、所定の網点面積率で補正量が最大値となり０％又は１００％の網点面積率の近傍で補正量が最小値となるように、目標印刷物の網点面積率を補正することを特徴とする製版方法。
【請求項３】
網点面積率のデータ値に対応した目標印刷物の網点面積率を入力する第一の入力手段と、網点面積率の補正無しで印刷した実際印刷物の網点面積率を網点面積率のデータ値に対応して入力する第二の入力手段と、目標印刷物の網点面積率を補正するための補正量を入力する補正量入力手段と、補正量入力手段から入力した補正量に基づいて目標印刷物の網点面積率を補正し、補正後の目標印刷物の網点面積率に対して実際印刷物の網点面積率を参照して補正データ値を算出する算出手段と、算出手段からの補正データ値に基づいてフィルム又は印刷版に網画像を出力する網画像出力手段とを具備したことを特徴とする製版装置。
【請求項４】
請求項３に記載の製版装置において、所定の網点面積率で補正量が最大値となり０％又は１００％の網点面積率の近傍で補正量が最小値となるように、目標印刷物の網点面積率を補正することを特徴とする製版装置。
【発明の詳細な説明】
【０００１】
【発明の属する技術分野】
本発明は、フィルム又は刷版に網画像を形成するための製版方法及び製版装置に関する。
【０００２】
【従来の技術】
従来、特開２０００−３４１５２５で開示されるように、印刷機で印刷される印刷物が目標網点面積率の網画像を有するように、刷版上の網点面積率は所定のトーンカーブにより補正される。これにより、理論的にはどの印刷機でも目標網点面積率の刷版で印刷すれば、ほぼ同程度の印刷物を得ることができる。しかしながら、実際の所は、目標とする印刷物の網点面積率は同じでも、印刷機が異なれば、機械的特性、インキ特性、水量特性等の印刷機の特性により、刷り上がりの結果が微妙に異なってくる。そのため、従来は印刷機のインキ量、水量等を経験、勘により調整する等して、刷り上がりを微調整している。
【０００３】
また、印刷物が目標網点面積率になるように、刷版上の網点面積率を補正した上で印刷しても、その実際の刷り上がり結果を見てさらに網点面積率を微調整したいケースが多々ある。その場合、従来は目標となる印刷物の網点面積率を手作業にて変更し、再度、刷版上の網点面積率を補正している。
【０００４】
【発明が解決しようとする課題】
従来のように印刷機の特性を把握して刷り上りを調整したり、網点面積率を手作業で変更したりする作業は勘、コツ等に頼るので極めて面倒であり、時間がかかる。
【０００５】
したがって、本発明は、網点面積率を簡易に微調整することができる製版方法及び製版装置を提供することを目的とする。
【０００６】
【課題を解決するための手段】
上記課題を解決するため、請求項１に係る発明は、網点面積率のデータ値に対応した目標印刷物の網点面積率を求め、網点面積率の補正無しで印刷した実際印刷物の網点面積率を網点面積率のデータ値に対応して求め、目標印刷物の網点面積率を補正するための補正量を求め、補正量に基づいて目標印刷物の網点面積率を補正し、補正後の目標印刷物の網点面積率に対して実際印刷物の網点面積率を参照して補正データ値を算出し、算出した補正データ値に基づいてフィルム又は印刷版に網画像を得る製版方法を採用する。
【０００７】
また、請求項２に係る発明は、請求項１に記載の製版方法において、所定の網点面積率で補正量が最大値となり０％又は１００％の網点面積率の近傍で補正量が最小値となるように、目標印刷物の網点面積率を補正する製版方法を採用する。
【０００８】
また、請求項３に係る発明は、網点面積率のデータ値に対応した目標印刷物の網点面積率を入力する第一の入力手段（６，７）と、網点面積率の補正無しで印刷した実際印刷物の網点面積率を網点面積率のデータ値に対応して入力する第二の入力手段（９，１０）と、目標印刷物の網点面積率を補正するための補正量を入力する補正量入力手段（１１）と、補正量入力手段（１１）から入力した補正量に基づいて目標印刷物の網点面積率を補正し、補正後の目標印刷物の網点面積率に対して実際印刷物の網点面積率を参照して補正データ値を算出する算出手段と、算出手段からの補正データ値に基づいてフィルム又は印刷版に網画像を出力する網画像出力手段（１５）とを具備した製版装置を採用する。
【０００９】
また、請求項４に係る発明は、請求項３に記載の製版装置において、請求項１に記載の製版装置において、所定の網点面積率で補正量が最大値となり０％又は１００％の網点面積率の近傍で補正量が最小値となるように、目標印刷物の網点面積率を補正する製版装置を採用する。
【００１０】
【発明の実施の形態】
次に、本発明の実施の形態について図面を参照して説明する。
【００１１】
図１に示すように、この製版方法を実施するための製版装置は、汎用コンピュータ１を備える。
【００１２】
汎用コンピュータ１は、図２乃至図５に示す入力画面を表示する図示しないディスプレイ装置を備え、その他図示しないキーボード等の入力装置を備える。
【００１３】
入力画面には、刷版の各色版を選択するための手段としてシアン、マゼンタ、イエロー、ブラックの各色キー２，３，４，５が表示される。所望の色キー２，３，４，５を選択することで入力画面を各色の刷版用に切り換えることができる。
【００１４】
また、入力画面には、次の四種類の欄が表示される。
【００１５】
（１）網点面積率のデータ値を入力するデータ値入力欄６と、各データ値に対応して目標印刷物の網点面積率を入力する目標印刷物網点面積率入力欄７。
【００１６】
これらの入力欄６，７は、データ値と目標印刷物網点面積率との関係すなわちトーンカーブを汎用コンピュータに入力する第一の入力手段として機能する。
【００１７】
ここに、データ値は図示しない文字画像入力装置の指定値であり、原稿の網点面積率である。図示例では、０．００％〜１００．００％の範囲の数値が各欄６から入力される。目標印刷物の網点面積率は各欄７に入力される。トーンカーブはドットゲインを見込んだ補正曲線であり、例えば各印刷会社により用意される規格曲線である。図６中、符号８はトーンカーブの一例を示す。
【００１８】
（２）網点面積率のデータ値を入力するデータ値入力欄９と、網点面積率の補正無しで印刷した実際印刷物の網点面積率を各データ値に対応して入力する実際印刷物網点面積率入力欄１０。
【００１９】
これらの入力欄９，１０は、データ値と実際印刷物の網点面積率との関係を汎用コンピュータ１に入力する第二の入力手段として機能する。
【００２０】
ここに、データ値は、上記（１）のデータ値と同じ値が用いられ、図示例では、０．００％〜１００．００％の範囲の数値が各欄９から入力される。実際印刷物の網点面積率は、網点面積率の補正無しで印刷した印刷物における網点面積率のデータ値であり、各欄１０に入力される。入力欄９，１０の入力値から図６に示すようにトーンカーブ１４が得られる。
【００２１】
（３）目標印刷物の網点面積率の補正量を入力する補正量入力欄１１。
【００２２】
この補正量入力欄１１は補正量入力手段として機能するもので、この欄１１から所望の数値を例えば図４のように５．００％又は図５のように−５．００％と入力するとこの数値の網点面積率だけ目標印刷物の網点面積率が増加し又は減少する。図３のように０．００％と入力する場合は、補正が行われない。所定の網点面積率としては例えば目標印刷物のデータ値５０％に対応する網点面積率が選定される。図６の例の場合、この網点面積率は目標印刷物の網点面積率でいうと６３％である。
【００２３】
この目標印刷物の網点面積率の上げ下げは、指定％での上げ下げによるほか、変換カーブを指定しての上げ下げが可能である。これにより、目標となる印刷物の網点面積率を基準に微調整した印刷物を簡単に得ることができる。
【００２４】
（４）網点面積率のデータ値を入力するデータ値入力欄１２と、目標印刷物の網点面積率に対する補正前の補正データ値又は補正後の補正データ値を表示する表示欄１３。
【００２５】
汎用コンピュータ１は、上記（２）で入力されたトーンカーブ１４を参照して目標印刷物の網点面積率の補正データ値を算出する第一の算出機能と、上記（３）で補正された後の目標印刷物の網点面積率に対して上記トーンカーブ１４を参照して補正データ値を算出する第二の算出機能とを有する。
【００２６】
汎用コンピュータ１は、第一の算出機能により、図６に示すように、例えばデータ値５０．００％について求めた目標印刷物網点面積率６３．００％を実際印刷物の網点面積率のトーンカーブ１４を参照し（ｂ）、補正データ値４８％と演算する（ｃ）。図３に示すごとく実際印刷物の網点面積率は所定のデータ値ごとに求められているので、他の補正データ値は前後の入力値から直線近似することで求められる。
【００２７】
また、汎用コンピュータ１は、第二の算出機能により、図６に示すように、例えばデータ値５０．００％について求めた目標印刷物網点面積率６３．００％を＋５．００％の補正量だけ補正するとした場合に（ｄ）、実際印刷物の網点面積率のトーンカーブ１４を参照し（ｅ）、補正データ値５５％と演算する（ｆ）。図４に示すごとく実際印刷物の網点面積率は所定のデータ値ごとに求められているので、補正データ値は前後の入力値から直線近似により求められる。また、例えば−５．００％の補正量だけ補正する場合は、図５に示すごとく表示され、上記と同様にして補正データ値が求められる。
【００２８】
ここで、データ値５０．００％以外の各種網点面積率の補正データ値は、図７に示すように、上記所定の網点面積率である例えばデータ値５０．００％で補正量が最大値となりデータ値０％と１００％の網点面積率で補正量が最小値となるように目標印刷物の網点面積率を補正することによって得られる。最小値は、０又は０に近い値である。
【００２９】
なお、図３に示す補正量を加えない場合のデータ値と目標印刷物の網点面積率との関係は図８の曲線Ａで示され、図４に示す補正量増加の場合の最大値５％としたときのデータ値と目標印刷物の網点面積率との関係は図８の曲線Ｂで示され、図５に示す補正量減少の場合の最大値−５％としたときのデータ値と目標印刷物の網点面積率との関係は図８の曲線Ｃで示される。
【００３０】
この製版装置は、図１に示すように、上述のごとく汎用コンピュータ１により求められた図３、図４又は図５の表示欄１３に示すような補正データ値に基づいてフィルム又は印刷版に網画像を出力する網画像出力装置１５を備える。
【００３１】
網画像出力装置１５は、文字、図形等の画像を包括したデータをビットデータに変換する機器であり、このデジタルデータに基づいてフィルム出力装置１６又は刷版出力装置１７がフィルム又は刷版を作成する。
【００３２】
このフィルム又は刷版は、図３、図４又は図５の表示欄１３に示すような補正データ値の網画像を有し、このフィルム又は刷版により印刷される印刷画像は目標印刷物の網点面積率を再現することになる。
【００３３】
【発明の効果】
以上のように本発明によれば、網点面積率のデータ値に対応した目標印刷物の網点面積率を求め、網点面積率の補正無しで印刷した実際印刷物の網点面積率を網点面積率のデータ値に対応して求め、目標印刷物の網点面積率を補正するための補正量を求め、補正量に基づいて目標印刷物の網点面積率を補正し、補正後の目標印刷物の網点面積率に対して実際印刷物の網点面積率を参照して補正データ値を算出し、算出した補正データ値に基づいてフィルム又は印刷版に網画像を得る製版方法であり、また、網点面積率のデータ値に対応した目標印刷物の網点面積率を入力する第一の入力手段と、網点面積率の補正無しで印刷した実際印刷物の網点面積率を網点面積率のデータ値に対応して入力する第二の入力手段と、目標印刷物の網点面積率を補正するための補正量を入力する補正量入力手段と、補正量入力手段から入力した補正量に基づいて目標印刷物の網点面積率を補正し、補正後の目標印刷物の網点面積率に対して実際印刷物の網点面積率を参照して補正データ値を算出する算出手段と、算出手段からの補正データ値に基づいてフィルム又は印刷版に網画像を出力する網画像出力手段とを具備した製版装置であるから、目標となる印刷物の網点面積率を対象となる印刷機毎に微妙に変更することで、刷版上の網点面積率を補正し、どの印刷機でも同じ刷り上がりになるようにすることができる。これにより、従来の印刷機オペレータの経験と勘で行っていた調整作業は不要となり、印刷機の違いによる刷り上がり結果の違いが吸収される。また、従来の手作業による面倒な網点面積率の変更も回避される。また、本発明は、オリジナルの目標となる印刷物の網点面積率を基準に指定の範囲においてその目標印刷物の網点面積率を上げ下げするものであるから、その目標となる印刷物の網点面積率を簡単に微調整することができる。
【図面の簡単な説明】
【図１】本発明に係る製版装置の構成を示すブロック図である。
【図２】補正データ値算出前の入力画面である。
【図３】補正量を０％にした場合における補正データ値算出後の入力画面である。
【図４】補正量を＋５％にした場合における補正データ値算出後の入力画面である。
【図５】補正量を−５％にした場合における補正データ値算出後の入力画面である。
【図６】補正データ値を算出する過程を説明するグラフである。
【図７】補正の方法を説明するグラフである。
【図８】データ値と目標印刷物の網点面積率との関係を示すグラフであり、Ａ，Ｂ，Ｃは補正量０％、＋５％、−５％にそれぞれ対応する。
【符号の説明】
６…データ値入力欄
７…目標印刷物網点面積率入力欄
９…データ値入力欄
１０…実際印刷物網点面積率入力欄
１１…補正量入力欄
１５…網画像出力装置
【図１】
2004034556.tif 000003
【図２】
2004034556.tif 000004
【図３】
2004034556.tif 000005
【図４】
2004034556.tif 000006
【図５】
2004034556.tif 000007
【図６】
2004034556.tif 000008
【図７】
2004034556.tif 000009
【図８】
2004034556.tif 000010